(57)【特許請求の範囲】
【請求項１】
給水路（５）からの水をバーナ（２）の燃焼により加熱し、この加熱後の湯を手動式の浴槽用給湯栓（９）を有する給湯路（６）に供給する熱交換器（３）を有する給湯器（Ａ）と、前記給湯路（６）に供給する給湯量を積算する給湯量積算手段（２７）と、前記給湯路（６）への湯水の流通量を変更する流量変更弁（１２）と、前記給湯量積算手段（２７）によって給湯量を積算しながら給湯する積算給湯制御を実行すべく前記給湯器（Ａ）を制御する給湯制御手段（２６）とを備えている浴槽用給湯装置であって、
前記給湯制御手段（２６）が、前記給湯量積算手段（２７）による検出給湯量が目標給湯量になると、前記流量変更弁（１２）により給湯量を減少させるとともに、この流量変更弁（１２）による給湯量減少後、設定時間内に前記給湯路（６）への湯水の流通の停止を検出しないと、前記流量変更弁（１２）を閉じて給湯を停止するように構成し、
前記給湯制御手段（２６）に対して前記積算給湯制御の開始を指示する積算給湯指示手段（２１）および前記積算給湯制御を解除して一般給湯制御の開始を指示する一般給湯指示手段（２４）を備え、
前記給湯制御手段（２６）が、前記流量変更弁（１２）を開けて給湯する一般給湯制御を実行すべく前記給湯器（Ａ）を制御するように構成し、前記一般給湯指示手段（２４）により一般給湯制御を指示した直後に、前記給湯路（６）への湯水の流通を検出すると、前記給湯制御手段（２６）が、前記一般給湯制御の実行を停止して前記流量変更弁（１２）を閉じるように構成してある浴槽用給湯装置。
【請求項２】
前記給湯制御手段（２６）が、前記給湯量積算手段（２７）による検出給湯量が目標給湯量になるに伴って報知手段（２３）を作動させるとともに、前記一般給湯指示手段（２４）により一般給湯制御を指示すると、前記報知手段（２３）の作動を解除するように構成し、前記一般給湯指示手段（２４）により一般給湯制御を指示した直後に、前記給湯路（６）への湯水の流通を検出すると、この一般給湯指示手段（２４）による報知の解除を停止するように構成してある請求項１記載の浴槽用給湯装置。
【請求項３】
前記給湯制御手段（２６）が、前記流量変更弁（１２）による給湯量減少後の前記設定時間内に、前記一般給湯指示手段（２４）により一般給湯を指示した際、前記給湯路（６）への湯水の流通の停止を検出すると、前記流量変更弁（１２）を開けるとともに、報知手段（２３）の作動を解除して、前記一般給湯制御の実行を可能にするように構成してある請求項１または２記載の浴槽用給湯装置。
【請求項４】
前記給湯制御手段（２６）が、前記流量変更弁（１２）による給湯量減少後の前記設定時間内に、前記給湯路（６）への湯水の流通の停止を検出すると、前記流量変更弁（１２）を開けるとともに、報知手段（２３）の作動を解除して、前記一般給湯制御の実行を可能にするように構成してある請求項２または３記載の浴槽用給湯装置。
【請求項５】
前記目標給湯量を変更設定する目標給湯量設定手段（２２）を設けてある請求項３または４記載の浴槽用給湯装置。
【請求項６】
前記給湯制御手段（２６）が、前記給湯路（６）に供給する給湯温度を目標給湯温度にするように前記給湯器（Ａ）を制御すべく構成し、この目標給湯温度を変更設定する目標温度設定手段（２０）を設けてある請求項５記載の浴槽用給湯装置。
【請求項７】
前記給水路（５）に通水量検出手段（１０）を設け、この通水量検出手段（１０）による検出通水量の積算で前記給湯路（６）への給湯量を検出するとともに、前記給湯路（６）への湯水の流通を検出するように構成してある請求項６記載の浴槽用給湯装置。
【発明の詳細な説明】
【０００１】
【産業上の利用分野】
本発明は、浴槽へ所定量の湯を給湯することのできる浴槽用給湯装置、より詳しくは、給水路からの水をバーナの燃焼により加熱し、この加熱後の湯を手動式の浴槽用給湯栓を有する給湯路に供給する熱交換器を有する給湯器と、前記給湯路に供給する給湯量を積算する給湯量積算手段と、前記給湯路への湯水の流通量を変更する流量変更弁と、前記給湯量積算手段によって給湯量を積算しながら給湯する積算給湯制御を実行すべく前記給湯器を制御する給湯制御手段とを備えている浴槽用給湯装置に関する。
【０００２】
【従来の技術】
従来、この種の浴槽用給湯装置としては、例えば特開昭５８−３３０５２号公報に開示のものなどが知られている。
この公報に開示の浴槽用給湯装置は、浴槽用給湯栓による落とし込みによって浴槽へ給湯するもので、設定した目標給湯量の湯が浴槽に給湯されると、ブザーやランプなどの報知手段で報知するように構成されている。
また、設定した目標給湯量の湯が浴槽に給湯されると、自動的に給湯を停止して報知する構成の給湯装置も開示されている。
【０００３】
【発明が解決しようとする課題】
ところが、ブザーやランプなどで報知する構成のものでは、時として浴槽用給湯栓を閉め忘れることがあり、必要以上の量を給湯したり、場合によっては、浴槽から湯を溢れさせてしまう虞れもあった。
その点、自動的に給湯を停止する構成のものでは、かかる虞れもなくて便利ではあるが、この給湯装置の使用に不慣れな人の場合、給湯する目標給湯量の設定が必ずしも適切に行くとは限らず、給湯停止後にさらに湯を足したいような場合が往々にして生じ、このような場合、給湯装置を再度設定し直さなければならない煩わしさがあった。
さらに、目標給湯量が装置側で予め決められている場合においても、時として湯を足したいような場合があり、この場合も同様で、やはり煩わしい操作を必要とした。
ところで、この種の給湯装置においては、浴槽への給湯のための積算給湯制御を解除した状態において、台所などへの一般給湯制御を実行できるように構成したものが多い。このような場合、自動的に給湯を停止するものでは、給湯が自動停止した後、肝心の浴槽用給湯栓を閉め忘れることがあり、閉め忘れたままで台所などへの一般給湯を開始すると、この一般給湯と並行して浴槽への給湯も再開され、結局、浴槽内に必要以上の湯が給湯されるという虞れがあった。
【０００４】
本発明は、このような従来の問題点を解決するもので、その目的は、浴槽へ必要以上に給湯することを防止するのみならず、目標給湯量に達した後、さらに湯を足したいような場合、いちいち煩わしい操作をすることなく簡易に足せるようにし、かつ、浴槽用給湯栓を閉め忘れも、不必要な給湯が継続されることがないようにする点にある。
また、台所などへの一般給湯を併せて行なう場合においては、浴槽用給湯栓を閉め忘れたままで一般給湯などを開始しようとしても、浴槽内への給湯が再開されることのない浴槽用給湯装置の提供にある。
【０００５】
【課題を解決するための手段】
この目的を達成するため、本発明による浴槽用給湯装置の第１の特徴構成は、給水路からの水をバーナの燃焼により加熱し、この加熱後の湯を手動式の浴槽用給湯栓を有する給湯路に供給する熱交換器を有する給湯器と、前記給湯路に供給する給湯量を積算する給湯量積算手段と、前記給湯路への湯水の流通量を変更する流量変更弁と、前記給湯量積算手段によって給湯量を積算しながら給湯する積算給湯制御を実行すべく前記給湯器を制御する給湯制御手段とを備えている浴槽用給湯装置であって、前記給湯制御手段が、前記給湯量積算手段による検出給湯量が目標給湯量になると、前記流量変更弁により給湯量を減少させるとともに、この流量変更弁による給湯量減少後、設定時間内に前記給湯路への湯水の流通の停止を検出しないと、前記流量変更弁を閉じて給湯を停止するように構成し、前記給湯制御手段に対して前記積算給湯制御の開始を指示する積算給湯指示手段および前記積算給湯制御を解除して一般給湯制御の開始を指示する一般給湯指示手段を備え、前記給湯制御手段が、前記流量変更弁を開けて給湯する一般給湯制御を実行すべく前記給湯器を制御するように構成し、前記一般給湯指示手段により一般給湯制御を指示した直後に、前記給湯路への湯水の流通を検出すると、前記給湯制御手段が、前記一般給湯制御の実行を停止して前記流量変更弁を閉じるように構成してある点にある。
【０００７】
第２の特徴構成は、前記給湯制御手段が、前記給湯量積算手段による検出給湯量が目標給湯量になるに伴って報知手段を作動させるとともに、前記一般給湯指示手段により一般給湯制御を指示すると、前記報知手段の作動を解除するように構成し、前記一般給湯指示手段により一般給湯制御を指示した直後に、前記給湯路への湯水の流通を検出すると、この一般給湯指示手段による報知の解除を停止するように構成してある点にある。
【０００８】
第３の特徴構成は、前記給湯制御手段が、前記流量変更弁による給湯量減少後の前記設定時間内に、前記一般給湯指示手段により一般給湯を指示した際、前記給湯路への湯水の流通の停止を検出すると、前記流量変更弁を開けるとともに、報知手段の作動を解除して、前記一般給湯制御の実行を可能にするように構成してある点にある。
【０００９】
第４の特徴構成は、前記給湯制御手段が、前記流量変更弁による給湯量減少後の前記設定時間内に、前記給湯路への湯水の流通の停止を検出すると、前記流量変更弁を開けるとともに、報知手段の作動を解除して、前記一般給湯制御の実行を可能にするように構成してある点にある。
【００１０】
第５の特徴構成は、前記目標給湯量を変更設定する目標給湯量設定手段を設けてある点にある。
【００１１】
第６の特徴構成は、前記給湯制御手段が、前記給湯路に供給する給湯温度を目標給湯温度にするように前記給湯器を制御すべく構成し、この目標給湯温度を変更設定する目標温度設定手段を設けてある点にある。
【００１２】
第７の特徴構成は、前記給水路に通水量検出手段を設け、この通水量検出手段による検出通水量の積算で前記給湯路への給湯量を検出するとともに、前記給湯路への湯水の流通を検出するように構成してある点にある。
【００１３】
【作用】
本発明の第１の特徴構成によれば、給湯路に供給する給湯量を積算する給湯量積算手段を設け、この給湯量積算手段による検出給湯量が目標給湯量になり、かつ、設定時間内に給湯路への湯水の流通の停止を検出しないと、流量変更弁を閉じて給湯を停止するものであり、しかも、この目標給湯量になった後の設定時間内においては、流量変更弁によって給湯量が減少されているため、浴槽内へ必要以上に給湯するような事態が回避される。それでいて、前記設定時間内においては給湯が続行されているので、さらに湯を足したいような場合、いちいち煩わしい操作をすることなく簡易に足すことができる。
【００１４】
又、第１の特徴構成によれば、前記給湯制御手段に対して積算給湯制御の開始を指示する積算給湯指示手段と一般給湯制御の開始を指示する一般給湯指示手段とを備えているため、浴槽への積算給湯のみならず、台所などへの一般給湯をも実行することができ、しかも、前記一般給湯指示手段により一般給湯制御を指示した直後に、給湯路への湯水の流通を検出すると、一般給湯制御の実行を停止して流量変更弁を閉じるものであるから、一般給湯と並行して浴槽への給湯が再開されるような事態が確実に回避される。
【００１５】
第２の特徴構成によれば、給湯量積算手段による検出給湯量が目標給湯量になるに伴って報知手段を作動させるものであるから、目標給湯量になったことを確実に知ることができ、かつ、一般給湯指示手段により一般給湯制御を指示すると、報知手段の作動が解除されるのであるが、この一般給湯指示手段により一般給湯制御を指示した直後に、給湯路への湯水の流通を検出すると、この一般給湯指示手段による報知の解除を停止して報知を続行するものであるから、使用者は浴槽用給湯栓の閉め忘れを知ることができる。
【００１６】
第３の特徴構成によれば、一般給湯制御の実行を手動により行なうにもかかわらず、目標給湯量になった後、給湯路への湯水の流通の停止を検出して始めて一般給湯制御の実行を可能にするものであるから、この一般給湯制御を実行しようとすれば浴槽用給湯栓を閉めざるを得ず、この浴槽用給湯栓の閉め忘れによる不都合を極力回避することができる。
【００１７】
第４の特徴構成によれば、流量変更弁による給湯量減少後の前記設定時間内に、給湯路への湯水の流通の停止を検出すると、流量変更弁を開け、報知手段の作動を解除して一般給湯制御の実行を可能にするものであるから、前記設定時間内に浴槽用給湯栓を閉めると、給湯制御手段が一般給湯指示手段による一般給湯制御の指示などを全て自動的に行なうことになり、使用者にとっては極めて便利に使用することができる。
【００１８】
第５の特徴構成によれば、給湯路へ供給する目標給湯量を変更設定する目標給湯量設定手段を設けるものであるから、この目標給湯量を一律に設定したものとは異なり、使用者が自由に給湯量を決めて便利に使用することができるとともに、仮に設定した給湯量が適切でなく、さらに湯を足したい場合には、上述したように煩わしい操作を必要とせず、容易に湯を足すことができる。
【００１９】
第６の特徴構成によれば、前記給湯制御手段が、前記給湯路に供給する給湯温度を目標給湯温度にするように前記給湯器を制御すべく構成し、この目標給湯温度を変更設定する目標温度設定手段を設けるものであるから、給湯量のみならず、その給湯温度をも自由に設定して、さらに便利に使用することができる。
【００２０】
第７の特徴構成によれば、前記給水路に通水量検出手段を設け、この通水量検出手段による検出通水量の積算で前記給湯路への給湯量を検出するとともに、前記給湯路への湯水の流通を検出するように構成してあるため、ひとつの通水量検出手段によって、浴槽への給湯量の検出と給湯路への湯水流通の検出との両作用を行なわせることができ、さらに、この通水量検出手段によって給湯器の熱交換器へ点火に十分な量の水が供給されたか否かを検知させることも可能で、ひとつの通水量検出手段に種々の作用を行なわせることにより、部品点数の減少によるコストダウンを図ることができる。
【００２１】
【発明の効果】
以上のように、第１の特徴構成によれば、浴槽内へ必要以上に給湯するような事態が回避され、かつ、目標給湯量に達した後にさらに湯を足したいような場合、いちいち煩わしい操作をすることなく簡易に足すことができる。
【００２２】
又、第１の特徴構成によれば、浴槽への積算給湯のみならず、台所などへの一般給湯をも実行することができ、しかも、浴槽用給湯栓が閉め忘れたままになっていても、一般給湯と並行して浴槽への給湯が再開されるような事態が確実に回避される。
【００２３】
第２の特徴構成によれば、使用者は目標給湯量になったことを確実に知ることができ、しかも、浴槽用給湯栓を閉め忘れたまま、一般給湯指示手段により一般給湯制御を指示した場合、使用者は、報知手段によって浴槽用給湯栓の閉め忘れを知ることができる。
【００２４】
第３の特徴構成によれば、一般給湯制御の実行を手動により行なうにもかかわらず、浴槽用給湯栓の閉め忘れによる不都合を極力回避することができる。
【００２５】
第４の特徴構成によれば、流量変更弁による給湯量減少後の設定時間内に浴槽用給湯栓を閉めるだけで、自動的に一般給湯制御に切り換わることになり、極めて便利に使用することができる。
【００２６】
第５の特徴構成によれば、自由に給湯量を決めることができ、仮に設定した給湯量が適切でない場合には、煩わし操作を必要とせずに容易に湯を足すことができる。
【００２７】
第６の特徴構成によれば、給湯量のみならず、その給湯温度をも自由に設定して、さらに便利に使用することができる。
【００２８】
第７の特徴構成によれば、ひとつの通水量検出手段によって、浴槽への給湯量の検出と給湯路への湯水流通の検出などの作用を行なわせることができ、部品点数の減少によるコストダウンを図ることができる。
【００２９】
【実施例】
本発明による浴槽用給湯装置の実施例を図面に基づいて説明する。
図１は、給湯装置全体の概略を示し、この給湯装置は、給湯器Ａとこの給湯器Ａの動作を制御する制御部Ｈ、ならびに、操作部Ｒなどから構成されている。
前記給湯器Ａは、燃焼室１と、この燃焼室１の内部に備えられたバーナ２と、このバーナ２によって水を加熱する熱交換器３などからなり、燃焼室１の下方には、バーナ２へ燃焼用の空気を供給するとともに、バーナ２の燃焼排ガスを燃焼室１外へ排気するファン４が連通接続されている。
【００３０】
前記熱交換器３には、加熱用の水を供給する給水路５と、熱交換器３で加熱された後の湯を供給する給湯路６とが連通接続され、この給湯路６には、台所や洗面所などに給湯する一般用給湯栓７と、浴槽８に給湯する手動式の浴槽用給湯栓９とが連通接続されている。
前記給水路５には、熱交換器３への通水量Ｑｘを検出する通水量検出手段としての通水量センサ１０と、熱交換器３の入口側における入水温度Ｔｉを検出する入水温センサ１１と、熱交換器３への通水量Ｑｘを変更調節するとともに、給湯路６への湯水の流通量を変更する流量変更弁としての水量調節弁１２とが備えられ、給湯路６の方には、この給湯路６から一般用給湯栓７や浴槽用給湯栓９に供給する給湯温度Ｔｘを検出する給湯温センサ１３が備えられている。
【００３１】
前記バーナ２には、一般家庭用のガス供給管に接続して燃料ガスを供給する燃料供給路１４が連通接続され、この燃料供給路１４には、バーナ２への燃料供給量Ｉｐを調節する電磁比例弁１５と、燃料の供給を断続する断続弁１６とが備えられるとともに、点火用のイグナイタ１７と着火を検出するフレームロッド１８も設けられている。
【００３２】
前記操作部Ｒは、有線または無線によって制御部Ｈに接続されるコントローラで、この浴槽用給湯装置の運転の開始や停止を指示する運転スイッチ１９、目標給湯温度Ｔｓを変更設定する目標温度設定手段としての温度設定スイッチ２０、浴槽用給湯栓９から浴槽８への給湯を指示する積算給湯指示手段としての湯張りスイッチ２１、浴槽８へ給湯する目標給湯量を変更設定する目標給湯量設定手段としての湯量設定スイッチ２２、設定した目標給湯量に達したことを報知する報知手段としてのブザー２３、後述する積算給湯制御を解除して一般給湯制御に切り換える一般給湯指示手段として作用する湯張り解除スイッチ２４、ならびに、種々の情報を表示するＬＥＤランプ２５などが備えられている。
【００３３】
前記制御部Ｈには、給湯器Ａの動作を制御する給湯制御手段２６などが備えられ、この給湯制御手段２６は、湯張りスイッチ２１が入れられた後、通水量センサ１０が検出する通水量Ｑｘを積算する機能を有し、換言すると、通水量センサ１０とで給湯路６への湯量を検出する給湯量積算手段２７を構成するとともに、入水温センサ１１によって検出される入水温度Ｔｉ、温度設定スイッチ２０により設定される目標給湯温度Ｔｓ、ならびに、熱交換器３を介してバーナ２が給水路５からの水に供給し得る最大熱量Ｇｍに基づいて、熱交換器３から給湯路６へ供給される給湯温度Ｔｘを目標給湯温度Ｔｓにするための目標通水量Ｑｍを下記式１から算出し、通水量センサ１０によって検出する通水量Ｑｘが、前記目標通水量Ｑｍに等しくなるように、水量調節弁１２を変更調節するように構成されている。
【００３４】
【数１】
Ｑｍ＝Ｇｍ／（Ｔｓ−Ｔｉ）  （ただし、Ｔｓ＞Ｔｉ）
【００３５】
なお、上記式１において、最大熱量Ｇｍは、電磁比例弁１５を調節してバーナ２の発生熱量が最大になるときに、熱交換器３を介して水に供給し得る熱量であり、予め給湯制御手段２６に記憶保持されている。
【００３６】
つぎに、給湯制御手段２６による給湯制御動作の第一の実施例につき、図２と図３のフローチャートに基づいて説明する。
給湯運転は、操作部Ｒの運転スイッチ１９を入れることで開始され、一般用給湯栓７や浴槽用給湯栓９を開けて給水路５内を水が通過し、通水量センサ１０による検出通水量Ｑｘが点火水量に達すると（ステップ１）、ファン４による通風が開始され、電磁比例弁１５と断続弁１６が開いてイグナイタ１７によりバーナ２に点火され、火移りがフレームロッド１８で確認されてバーナ２の燃焼が開始される。なお、検出通水量Ｑｘが点火水量に達しないと、燃焼停止の状態で待機することになる（ステップ２）。
【００３７】
この場合、操作部Ｒの湯張りスイッチ２１が入れられておらず（ステップ３）、一般用給湯栓７や浴槽用給湯栓９が開けられると、通常の一般給湯制御が実行される（ステップ４）。
すなわち、給湯温センサ１３により検出される給湯温度Ｔｘが、温度設定スイッチ２０によって設定された目標給湯温度Ｔｓになるように電磁比例弁１５を調節してバーナ２への燃料供給量Ｉｐを制御するとともに、ファン４の回転数が、燃料供給量Ｉｐに対して予め設定された回転数になるように制御される。
そして、上述の式１に基づいて目標通水量Ｑｍが算出され、通水量センサ１０による検出通水量Ｑｘが目標通水量Ｑｍと等しくなるように水量調節弁１２を変更調節して、目標給湯温度Ｔｓでの給湯を実行し、一般用給湯栓７や浴槽用給湯栓９が閉じられて検出通水量Ｑｘが点火水量以下になると（ステップ１）、バーナ２の燃焼が停止される（ステップ２）。
なお、検出通水量Ｑｘと目標通水量Ｑｍとが等しいか否かは、両者の差が所定の値以下であるか否かによって判断する。
【００３８】
前記操作部Ｒの湯張りスイッチ２１が入れられて（ステップ３）、浴槽用給湯栓９が開けられると、浴槽８へ所定量の湯を給湯する積算給湯制御が実行される。
この場合、先の一般給湯制御と同じ動作で、温度設定スイッチ２０によって設定された目標給湯温度Ｔｓでの給湯が実行されるのであるが（ステップ５）、この積算給湯制御においては、通水量センサ１０による検出通水量Ｑｘが積算され、この積算流量が操作部Ｒの湯量設定スイッチ２２で設定された目標給湯量にまで達すると（ステップ６）、操作部Ｒのブザー２３が鳴動されてその旨を報知するとともに（ステップ７）、水量調節弁１２が絞られて最少通水量にまで減少される（ステップ８）。この場合、給湯量は変わるが、給湯温度はそのままになるように制御される。
【００３９】
このブザー２３の鳴動で、直ちに浴槽用給湯栓９を閉め、その後、湯張り解除スイッチ２４を入れると（ステップ９）、通水量センサ１０が水の流通の停止を検出し（ステップ１０）、ブザー２３の鳴動を停止するとともに（ステップ１１）、水量調節弁１２が開いて一般給湯制御に切り換わるが（ステップ１２）、浴槽８の湯が不足している場合には、所望の湯量になるまで待って浴槽用給湯栓９を閉めることになる。
【００４０】
この場合、水量調節弁１２が絞られて最少通水量になった後、浴槽用給湯栓９を閉め忘れたままで湯張り解除スイッチ２４を入れると（ステップ９）、通水量センサ１０が水の流通を検出し（ステップ１０）、湯張り解除スイッチ２４を切って（ステップ１３）、設定された一定の時間、具体的には約７分間だけ給湯が続行される（ステップ１４）。浴槽用給湯栓９を閉め忘れて湯張り解除スイッチ２４を入れ忘れた場合も同様で、約７分間給湯が続行され（ステップ１４）、７分経過後に、ブザー２３の鳴動が停止され（ステップ１５）、水量調節弁１２が閉じられ（ステップ１６）、燃焼が停止されて（ステップ１７）、給湯が停止されるので、浴槽用給湯栓９を閉め忘れたとしても、浴槽８から湯を溢れさせるようなことはない。
【００４１】
この状態で、湯張り解除スイッチ２４を入れると（ステップ１８）、まず、水量調節弁１２が開く（ステップ１９）。この場合、浴槽用給湯栓９が閉められていると、通水量センサ１０が水の流通の停止を検出して（ステップ２０）、一般給湯制御に切り換わるが、浴槽用給湯栓９が閉め忘れたままであると、給水路５内の水の流通を通水量センサ１０が検出し（ステップ２０）、浴槽用給湯栓９の閉め忘れであると判断し、水量調節弁１２を閉じ（ステップ２１）、ブザー２３を鳴動してその旨を報知し（ステップ２２）、湯張り解除スイッチ２４を切る（ステップ２３）。
その後、浴槽用給湯栓９を閉じて、再び湯張り解除スイッチ２４を入れることで、一般給湯制御に切り換わるのである。
【００４２】
つぎに、給湯制御手段２６による給湯制御動作の第二の実施例につき、図４のフローチャートに基づいて説明する。ただし、ステップ１からステップ８までは、第一の実施例と全く同様であるから、その図と説明とを省略し、ステップ１８からステップ２３までは、同じく第一の実施例と同様であるから、その説明を省略する。
ステップ８で水量調節弁１２が絞られて最少通水量にまで減少された後、浴槽用給湯栓９を閉めて湯張り解除スイッチ２４を入れると（ステップ２４）、第一の実施例と同様に、通水量センサ１０が水の流通の停止を検出し（ステップ２５）、ブザー２３の鳴動を停止し（ステップ２６）、水量調節弁１２を開いて一般給湯制御に切り換わる（ステップ２７）。
【００４３】
浴槽用給湯栓９を閉め忘れたままで、湯張り解除スイッチ２４を入れると、通水量センサ１０が水の流通を検出し（ステップ２５）、湯張り解除スイッチ２４を切って（ステップ２８）、直ちに、ブザー２３の鳴動を停止し（ステップ２９）、水量調節弁１２を閉じ（ステップ３０）、燃焼を停止して（ステップ３１）、給湯を停止する。つまり、この第二の実施例においては、浴槽用給湯栓９を閉め忘れていても、湯張り解除スイッチ２４を入れさえすれば、給湯が停止することになる。
そして、浴槽用給湯栓９を閉め忘れ、湯張り解除スイッチ２４も入れ忘れた場合には（ステップ２４）、第一の実施例と同様で、やはり約７分間だけ給湯が続行され（ステップ３２）、７分経過後に、給湯が停止される。
【００４４】
つぎに、給湯制御手段２６による給湯制御動作の第三の実施例につき、図５のフローチャートに基づいて説明するが、やはりステップ１からステップ８までは、第一の実施例と同様であるから、その図と説明とを省略し、ステップ１８からステップ２３までは、同じく第一の実施例と同様であるから、その説明を省略する。
この第三の実施例においては、ステップ８で水量調節弁１２が絞られて最少通水量にまで減少された後、浴槽用給湯栓９を閉めると、通水量センサ１０が水の流通の停止を検出し（ステップ３３）、湯張り解除スイッチ２４を入れなくとも自動的に、ブザー２３の鳴動を停止し（ステップ３４）、水量調節弁１２を開き（ステップ３５）、湯張りスイッチ２１を切って（ステップ３６）、一般給湯制御に切り換わるのである。
浴槽用給湯栓９を閉めなければ、これまでの実施例と同様で、やはり約７分間だけ給湯を続行し（ステップ３７）、その後、ブザー２３の鳴動を停止し（ステップ３８）、水量調節弁１２を閉じ（ステップ３９）、燃焼を停止して（ステップ４０）、給湯を停止することになる。
【００４５】
〔別実施例〕
上述した実施例においては、浴槽８への積算給湯制御と台所などへの一般給湯制御とを実行できる給湯装置を例にして説明したが、積算給湯制御専用の給湯装置に適用することもできる。
また、積算給湯指示手段としての湯張りスイッチ２１と一般給湯指示手段としての湯張り解除スイッチ２４とを別々に設けたものを示したが、これら両スイッチ２１，２４をひとつのスイッチで構成して実施することもできる。例えば、湯張りスイッチ２１を押すことで積算給湯制御が実行され、同じ湯張りスイッチ２１を再度押すことで、積算給湯制御が解除されて一般給湯制御が実行されるように構成することもできる。
さらに、運転スイッチ１９を一度切って、再び運転スイッチ１９を入れることにより、積算給湯制御を解除して一般給湯制御を実行するように構成することもでき、また、ひとつの湯張り解除スイッチ２４で報知解除手段と一般給湯指示手段とを兼用したものを示したが、これらを別々にして実施することもできる。
【００４６】
また、給水路５に設けた通水量センサ１０によって、給湯路６への湯水の流通を検出するものを示したが、この通水量センサ１０とは別のセンサを直接給湯路６に設け、そのセンサによって給湯路６への湯水の流通を検出するように構成することもできる。
さらに、この通水量センサ１０による検出通水量Ｑｘを給湯制御手段２６が積算して、積算流量を検出する構成のものを示したが、積算流量計などを用いて、積算流量を直接検出するようにして実施することもできる。
【００４７】
また、浴槽８への給湯量が目標給湯量に達したことを報知する報知手段としては、ブザー２３以外にランプの点灯や点滅も考えられ、さらに、このような報知と共にディスプレイに浴槽用給湯栓９の閉め忘れである旨を表示するなど、報知手段としては種々の方法が考えられる。
【００４８】
尚、特許請求の範囲の項に図面との対照を便利にするために符号を記すが、該記入により本発明は添付図面の構成に限定されるものではない。
【図面の簡単な説明】
【図１】給湯装置全体の概略構成図
【図２】第一の実施例の制御動作のフローチャート
【図３】第一の実施例の制御動作のフローチャート
【図４】第二の実施例の制御動作のフローチャート
【図５】第三の実施例の制御動作のフローチャート
【符号の説明】
Ａ        給湯器
２        バーナ
３        熱交換器
５        給水路
６        給湯路
９        浴用給湯栓
１０      通水量検出手段
１２      流量変更弁
２０      目標温度設定手段
２１      積算給湯指示手段
２２      目標給湯量設定手段
２３      報知手段
２４      一般給湯指示手段
２６      給湯制御手段
２７      給湯量積算手段
【図１】
0003751040.tif 000002
【図２】
0003751040.tif 000003
【図３】
0003751040.tif 000004
【図４】
0003751040.tif 000005
【図５】
0003751040.tif 000006